(57)【特許請求の範囲】
【請求項１】
オーバーキャップに形成された嵌合部と、該嵌合部と係脱自在に嵌合する肩カバーの嵌合片と、該肩カバーの下端部内周面に形成される第２嵌合片と、該第２嵌合片と係脱自在に嵌合するエアゾール容器のビード部とからなり、
（ａ）前記肩カバーが、オーバーキャップを被せる上部と、エアゾール容器のビード部に被せられる下部とを備えており、
（ｂ）前記肩カバーの上部が、前記オーバーキャップの下端部の内面と嵌合する２個所の円弧状の外周側面とそれらの間の平面部を備えており、
（ｃ）前記オーバーキャップは、その下端部が円筒状を呈し、下端部の対向する２個所を内向きに押圧して楕円形状に変形させることができるものであり、
（ｄ）前記オーバーキャップの嵌合部は、肩カバーの嵌合片と係脱自在になるように下端部の内周面に環状に形成される凹又は凸条の嵌合部であり、
（ｅ）前記肩カバーの嵌合片は、肩カバーの円弧状の外周側面に形成される凸又は凹条の嵌合片であり、
（ｆ）前記第２嵌合片は、肩カバーの下端部内周面の対向する２個所で、肩カバーの上部における平面部と対応する部位に形成された、エアゾール容器のビード部と係脱自在に嵌合する鉤状のものであり、
（ｇ）前記肩カバーの下部は、前記第２嵌合片が設けられていない部位同士を内向きに押圧すると楕円形状に変形し、それにより、肩カバーの第２嵌合片をエアゾール容器のビード部から外すことができる、
ことを特徴とするオーバーキャップ、肩カバー及びエアゾール容器相互間の嵌合構造。
【請求項２】
前記肩カバーの下部における押圧すべき部位に押圧部を示すマークが形成されていることを特徴とする請求項１記載のオーバーキャップ、肩カバー及びエアゾール容器相互間の嵌合構造。
【発明の詳細な説明】
【０００１】
【発明の属する技術分野】
この発明は、オーバーキャップ、肩カバー及びエアゾール容器相互間の嵌合構造に関し、さらに詳しくは通常の状態で使用している場合は、容易に嵌合が外れないが、内容物を噴霧する場合やエアゾール容器を廃棄する必要がある場合には、簡単な操作で嵌合が外れるオーバーキャップ、肩カバー及びエアゾール容器相互間の嵌合構造に関する。
【０００２】
【従来の技術】
従来の技術としては、例えばオーバーキャップと肩カバーとの嵌合構造は、オーバーキャップの内周面下部の全周に、凹又は凸条の嵌合部が形成され、又肩カバーには外周面上部の全周に、凸又は凹条の嵌合片が形成されていた。このように従来のオーバーキャップと肩カバーとは、全周で嵌合しているため、オーバーキャップを嵌合したり、逆に取外したりする場合において、強い力を必要とし、子供のみならず大人にとって、オーバーキャップの取外し作業は頗る困難であった。そこで、オーバーキャップと肩カバーとの嵌合具合を、極力緩めることにより、オーバーキャップの取外し操作を容易にしていた。
【０００３】
しかし、嵌合具合を緩めることは、子供等がオーバーキャップと肩カバーとの嵌合を、容易に外すことができるという欠点があり、オーバーキャップを紛失したり、エアゾール容器の押釦を安易に操作でき、安全性等に問題があった。
【０００４】
又、従来肩カバーとエアゾール容器のビード部との嵌合構造は、肩カバーの内周面下部に、鉤状の係合片とエアゾール容器のビード部とが、全周で強く嵌合されていた。したがって、エアゾール容器を廃棄する場合に、合成樹脂で成形された肩カバーと、アルミ等の金属容器とを分別廃棄する必要があり、強く嵌合している場合には、子供のみならず、大人であっても、肩カバーをエアゾール容器のビード部から簡単に取外すことができない欠点があった。しかし、上記同様に、嵌合具合を緩めることは、廃棄前における通常の使用時に、肩カバーがビード部から簡単に外れてしまうという欠点があり、嵌合具合の設定が頗る困難であるという問題があった。
【０００５】
この発明は、このような従来の課題に着目してなされたもので、オーバーキャップと肩カバーとの嵌合において、通常の使用時には子供等が容易に取外すことができず、取外しの必要がある場合には、簡単な操作で容易に取外しができるオーバーキャップと肩カバーとの嵌合構造であり、又肩カバーとエアゾール容器のビード部との嵌合にあっては、通常の使用時には容易に外れず、分別して廃棄する際には、肩カバーをエアゾール容器のビード部から容易に取外すことができるオーバーキャップ、肩カバー及びエアゾール容器相互間の嵌合構造を提供することを目的とする。
【０００７】
【課題を解決するための手段】
この課題を解決するため、請求項１記載の発明に対応する解決手段は、オーバーキャップに形成された嵌合部と、該嵌合部と係脱自在に嵌合する肩カバーの嵌合片と、該肩カバーの下端部内周面に形成される第２嵌合片と、該第２嵌合片と係脱自在に嵌合するエアゾール容器のビード部とからなり、（ａ）前記肩カバーが、オーバーキャップを被せる上部と、エアゾール容器のビード部に被せられる下部とを備えており、（ｂ）前記肩カバーの上部が、前記オーバーキャップの下端部の内面と嵌合する２個所の円弧状の外周側面とそれらの間の平面部を備えており、（ｃ）前記オーバーキャップは、その下端部が円筒状を呈し、下端部の対向する２個所を内向きに押圧して楕円形状に変形させることができるものであり、（ｄ）前記オーバーキャップの嵌合部は、肩カバーの嵌合片と係脱自在になるように下端部の内周面に環状に形成される凹又は凸条の嵌合部であり、（ｅ）前記肩カバーの嵌合片は、肩カバーの円弧状の外周側面に形成される凸又は凹条の嵌合片であり、（ｆ）前記第２嵌合片は、肩カバーの下端部内周面の対向する２個所で、肩カバーの上部における平面部と対応する部位に形成された、エアゾール容器のビード部と係脱自在に嵌合する鉤状のものであり、（ｇ）前記肩カバーの下部は、前記第２嵌合片が設けられていない部位同士を内向きに押圧すると楕円形状に変形し、それにより、肩カバーの第２嵌合片をエアゾール容器のビード部から外すことができる、ことを特徴とするオーバーキャップ、肩カバー及びエアゾール容器相互間の嵌合構造である。
【０００８】
【発明の実施の形態】
次に、この発明の実施の形態を図面に基づいて説明する。図１〜図８は、この発明に係る第１の実施形態を示す図面であり、図１はオーバーキャップ１を取外した状態を示した斜視図である。このオーバーキャップ１の嵌合部１ａは、図３に示す実施の形態では、凹条の溝に形成されているが、その他凸条の突起等であってもよい。次に、２は肩カバーであり、この肩カバー２の外周上部には、図８に示すように、スリット２ｂで、肩カバー２本体と上方が分離され、弾発的に嵌合するように形成されている。
【０００９】
そして、第１の実施形態においては、オーバーキャップ１の嵌合部１ａは、内周面下部の全周にわたって形成されている。他方、肩カバー２の嵌合片２ａは、図２に示すように、外周の一部を除いて形成されている。そして、嵌合片２ａが形成されていない部位には、各々相対向する位置に、平面部２ｃが形成されている。この平面部２ｃの表面には、押圧部を示すマーク２ｄが刻印又は貼付されている。
【００１０】
次に、肩カバー２の内周面下部には、エアゾール容器３のビード部３ａと嵌合する鉤状の嵌合片２ｆが形成されている。そして、肩カバー２の側面には、同様に押圧部を示すマーク２ｅが刻印又は貼付されている。図４に示すように、マーク２ｄとマーク２ｅとは、クロスするように各々９０°変位した位置に刻印又は貼付されている。又、図７に示すように、嵌合片２ｆは、外周の一部を除いて形成され、嵌合片２ｆが形成されていない部位の肩カバー２の表面には、前述したマーク２ｅが相対向する位置に、各々刻印又は貼付されている。
【００１１】
図９〜図１０は、この出願に係る発明外の嵌合構造を示す断面図である。第１の実施形態と異なる点は、図１０に示すように、エアゾール容器３のビード部３ａと嵌合する鉤状の嵌合片２ｋの外周に、引裂片２ｊが形成されている点にある。そして、指でこの引列片２ｊを肩カバー２の外周方向に引張り、引千切ることにより、嵌合片２ｋは、スリット２ｈ毎に分離される。
【００１２】
次に、この発明の作用について説明する。この発明に係る第１の実施形態において、内容物を噴出する際に、オーバーキャップ１を肩カバー２から取外す場合は、図２の肩カバー２の平面部２ｃの押圧部を示すマーク２ｄの部位における外側のオーバーキャップ１の側面を押圧する。すると、オーバーキャップ１は、図２の２点鎖線に示すように楕円形状に変形し、図８に示すように、オーバーキャップ１の嵌合部１ａと、肩カバー２の嵌合片２ａとの嵌合が解除される。
【００１３】
次に、この発明に係る第１の実施形態において、エアゾール容器３を廃棄する場合は、肩カバー２をエアゾール容器３のビード部３ａから取外す。すなわち、図６に示すように、押圧部を示すマーク２ｅを押圧する。すると、図７に示すように、肩カバー２が楕円形状に変形し、肩カバー２の嵌合片２ｆと、エアゾール容器３のビード部３ａとの嵌合が解除され、合成樹脂製の肩カバー２と金属製のエアゾール容器３とは、分別廃棄が可能となる。
【００１４】
図９〜１０に示すエアゾール容器３を廃棄する場合は、肩カバー２をエアゾール容器３のビード部３ａから取外す。すなわち、図１０に示すように、摘部２ｉを指で摘み、引裂片２ｊを肩カバー２の外周方向に引張ることにより、引裂片２ｊは千切り取られて、鉤状の嵌合片２ｋが、スリット２ｈ毎に縦に分離される。そして、図１１に示すように、肩カバー２を上から押圧すると、嵌合片２ｋがエアゾール容器３の肩部のテーパー部を、下方にすべるように移動し、嵌合片２ｋとビード部３ａとの嵌合が解除される。
【００１５】
【発明の効果】
以上説明してきたように、この発明によれば、オーバーキャップと肩カバーの嵌合においては、通常の使用状態にあっては、子供等が容易に取外すことができず、取外しの必要がある場合には、簡単な操作で容易に取外すことができる効果を有する。又、肩カバーとエアゾール容器のビード部との嵌合においては、通常の使用時には安易に取外しができないが、エアゾール容器を廃棄する場合には、肩カバーをエアゾール容器のビード部から容易に取外すことができる効果を有する。
【図面の簡単な説明】
【図１】この発明に係る第１の実施形態を示す斜視図。
【図２】この発明に係る第１の実施形態を示す平面図。
【図３】この発明に係る第１の実施形態を示す正面図。
【図４】この発明に係る第１の実施形態において、オーバーキャップを取外した場合の正面図。
【図５】図２のＡ−Ａ線拡大断面図。
【図６】この発明に係る第１の実施形態において、肩カバーを取外した場合の正面図。
【図７】図６のＣ−Ｃ線拡大矢視図。
【図８】図２のＢ−Ｂ線拡大断面図。
【図９】この発明外の肩カバーの底面図。
【図１０】図９の肩カバーの要部縦断面図。
【図１１】図９、図１０の肩カバーの取り外し方を示す要部縦断面図。
【符号の説明】
１  オーバーキャップ
１ａ  嵌合部
２  肩カバー
２ａ  嵌合片
２ｆ  ２ｋ  嵌合片
３  エアゾール容器
３ａ  ビード部
【図１】
0004473361.tif 000002
【図２】
0004473361.tif 000003
【図３】
0004473361.tif 000004
【図４】
0004473361.tif 000005
【図５】
0004473361.tif 000006
【図６】
0004473361.tif 000007
【図７】
0004473361.tif 000008
【図８】
0004473361.tif 000009
【図９】
0004473361.tif 000010
【図１０】
0004473361.tif 000011
【図１１】
0004473361.tif 000012